(57)【特許請求の範囲】
【請求項１】
振れを検出する振れ検出手段と、
この振れ検出手段を起動させる起動スイッチとを備え、
かつ三脚固定用止めねじ穴がカメラ底部に設けられている振れ検出機能付きカメラにおいて、
前記起動スイッチをカメラ上部に設けるとともに、
この起動スイッチの押圧方向に対向するカメラ底部の一部に、三脚固定用止めねじ穴部を設け、
前記三脚固定用止めねじ穴部を、前記起動スイッチ、振れ検出手段と共に、撮影レンズよりも一方のグリップ側に配設し、
かつ前記起動スイッチと前記三脚固定用止めねじ穴部との間に位置するように前記振れ検出手段を介在させて設け、カメラ本体の前記起動スイッチと前記三脚固定用止めねじ穴部が配置される部分の剛性を他の部分に比べて高くしたことを特徴とする振れ検出機能付きカメラ。
【請求項２】
請求項１記載の振れ検出機能付きカメラにおいて、
起動スイッチは、シャッタレリーズスイッチと兼用されていることを特徴とする振れ検出機能付きカメラ。
【請求項３】
請求項１または請求項２記載の振れ検出機能付きカメラにおいて、
起動スイッチは、二つの振れ検出軸によって形成される平面に平行しかつ重心を含む平面に略一致する平面上に押圧方向を有していることを特徴とする振れ検出機能付きカメラ。
【発明の詳細な説明】
【０００１】
【産業上の利用分野】
本発明は、手振れ等に伴なう像振れを防止するために振れ検出手段を備えてなるスチルカメラに適用して好適な振れ検出機能付きカメラに関する。
【０００２】
【従来の技術】
最近のスチルカメラにあっては、自動露出（ＡＥ）機構、オートフォーカス（ＡＦ）機構等を始め、各部において電子化され、高度に自動化されている。このような高機能化の一つに、カメラの手持ち撮影時などにおいて生じるカメラの振れ等に起因する像振れ検出および像振れ補正機能があり、従来から種々の提案がなされている。
【０００３】
すなわち、従来からカメラの揺れ、特にカメラが傾いたりすることによって生じる像振れを検出、補正しようとして、カメラの揺れや振動を振れ検出手段となる角速度センサを用いて検出し、その検出結果に応じて主光学系としての撮影レンズ系またはその一部の光学系を光軸に直交する方向にシフト駆動するようにした像振れ補正可能な構成をもつ像振れ補正装置が、種々提案されている。
【０００４】
そして、このような像振れ防止機能を備えたカメラでは、撮影レンズ系またはその一部を像振れ補正光学系として可動制御することによって像振れを解消し、通常撮影よりも遅いシャッタ速度での露出であっても、像振れのない状態での写真撮影を行なえるものである。
【０００５】
ところで、この像振れ検出、像振れ補正を行なうにあたって問題となることに、カメラを三脚に固定して長秒時撮影を行なう際の操作性の問題がある。
【０００６】
すなわち、この種のカメラを三脚に固定して長秒時撮影を行なうにあたって従来一般には、ケーブルレリーズ等というように、カメラの本体ボディに直接触れることなく、シャッタをレリーズ操作を行なうことができる遠隔レリーズ操作手段を用いていた。
【０００７】
【発明が解決しようとする課題】
しかしながら、このようにカメラを三脚に固定して撮影する際にケーブルレリーズ等の遠隔レリーズ操作手段を用いるためには、カメラ本体とのコネクタ等といった接続部材が必要となり、コスト高となるばかりでなく、コネクタ等の付設スペースを確保しなければならないという問題もあった。
【０００８】
さらに、このような従来構造では、撮影者にとってケーブルレリーズ等を準備し、しかもこれを撮影時に使用するためには常時携帯することが必要となるという煩わしさもあり、これらの問題点を解消し得る何らかの対策を講じることが望まれている。
【０００９】
本発明はこのような事情に鑑みてなされたものであり、ケーブルレリーズ等の遠隔レリーズ操作部材を不要とし、撮影者にとっての負担を軽減するとともに、カメラ側でのコネクタ等の遠隔レリーズ操作部材用の接続部材を不要とし、コスト軽減化と省スペース化を達成し得る振れ検出機能付きカメラを得ることを目的としている。
【００１０】
【課題を解決するための手段】
このような要請に応えるために本発明に係る振れ検出機能付きカメラは、振れを検出する振れ検出手段と、この振れ検出手段を起動させる起動スイッチとを備え、かつ三脚固定用止めねじ穴がカメラ底部に設けられている振れ検出機能付きカメラにおいて、前記起動スイッチをカメラ上部に設けるとともに、この起動スイッチの押圧方向に対向するカメラ底部の一部に、三脚固定用止めねじ穴部を設け、前記三脚固定用止めねじ穴部を、前記起動スイッチ、振れ検出手段と共に、撮影レンズよりも一方のグリップ側に配設し、かつ前記起動スイッチと前記三脚固定用止めねじ穴部との間に位置するように前記振れ検出手段を介在させて設け、カメラ本体の前記起動スイッチと前記三脚固定用止めねじ穴部が配置される部分の剛性を他の部分に比べて高くしたものである。
【００１２】
また、本発明に係る振れ検出機能付きカメラは、起動スイッチとして、シャッタレリーズスイッチを兼用し、さらにこの起動スイッチを、二つの振れ検出軸によって形成される平面に平行しかつ重心を含む平面に略一致する平面上に押圧方向を有するように構成したものである。
【００１３】
【作用】
本発明によれば、振れ検出手段、さらにこれにより振れ補正を行なう振れ補正手段を備えているため、三脚を使用することによる長秒時撮影においても、シャッタレリーズ釦を直接操作することによるシャッタレリーズが可能となり、ケーブルレリーズ等の遠隔レリーズ操作部材が不要となる。
【００１４】
また、本発明によれば、シャッタレリーズ釦の押圧方向に対向するカメラ底部に、三脚固定用止めねじ穴部を設けたため、シャッタレリーズ釦への押圧力を三脚で直接受けることができ、カメラに不要な振動が生じにくくなる。
【００１５】
【実施例】
図１ないし図３は本発明に係る振れ検出機能付きカメラの一実施例を示すものであり、図１は本発明による振れ検出機能付きカメラの一実施例を示す正面図、図２は本発明による振れ検出機能付きカメラの一実施例を示す上面図、図３は本発明による振れ検出機能付きカメラの一実施例における振れ検出センサ部を示す側断面図である。
【００１６】
まず、図１において符号１で示すカメラ本体の全体の概略構成を、以下に簡単に説明すると、このカメラ本体１は、振れ補正機能付きズーム撮影レンズ鏡筒３１を中心部に持ち、カメラ本体１の前側（被写体側）から見て左側にフィルムパトローネ２１（図２参照）を入れるパトローネ室Ｂを備えている。
【００１７】
また、このパトローネ室Ｂの前側には、振れ検出基板２と電源電池１４を配置し（図３参照）、電源電池１４の後側にも電源電池１５を収納されている。さらに、電源電池１５の後側には、撮影者がカメラをホールドし易い形状に成形したグリップ部１ａが形成され、このグリップ部１ａ内にストロボコンデンサ１９が収納されている。
【００１８】
また、ストロボコンデンサ１９とストロボ回路部１２を接続するリード線１８（図１および図３参照）が、振れ検出基板２の下部であるカメラ本体１の底部空間部分に配線されている。ここで、このリード線１８の周辺空間には、ストロボ作動時にＺ方向（図１および図３参照）の磁束が発生する。
このため、この振れ検出基板２には、Ｚ方向の磁束に影響を受けないように、ヨー方向１００（Ｘ軸方向）の振れ量を検出する角加速度検出センサすなわち振れ検出センサ３が、リード線１８の上部で電源電池１４の横に取付けられている。また、ピッチ方向１０１（Ｙ軸方向）の振れ量を検出する角加速度検出センサすなわち振れ検出センサ４は、カメラ本体１の内部の限られた空間を有効に使用するために、電源電池１４とヨー方向１００の振れ量を検出する振れ検出センサ３の上側空間に取付けられている。
【００１９】
４０は上述した振れ検出センサ３，４による振れ検出の起動を兼ねるシャッタレリーズスイッチのＯＮ、ＯＦＦ操作を行なうシャッタレリーズ釦であり、また４２は三脚固定用止めねじ穴部で、この止めねじ穴部４２には、図３に示したように、カメラ本体１を三脚本体４４の上端部に固定するための三脚固定用止めねじ４３が螺入されるようになっている。
【００２０】
また、ズーム撮影レンズ鏡筒３１は、図２に示すように、撮影レンズ群３２，３３および３６を備え、さらに撮影レンズ群３３にはシャッタ装置３４が取付けられている。
３５は振れ補正レンズ群であり、振れ検出センサ３，４からの検出情報に基づいて、振れ補正レンズ駆動装置３７により駆動される。
【００２１】
また、ズーム撮影レンズ鏡筒３１の上側部分には、オートフォーカスのための測距装置である赤外光投光ブロック１０および赤外光受光ブロック１１と、カメラの動作制御のためのＣＰＵ８および外部表示用ＬＣＤブロック７が実装されたメイン基板９と、対物レンズ６ａと接眼レンズ６ｂを含んだファインダブロック６とが配置されている。
【００２２】
さらに、カメラ本体１の前側（被写体側）より見て右側部分には、スプール室Ａが設けられている（図２参照）。このスプール室Ａは、フィルム給送モータを内蔵したスプール２０を有する。また、このスプール室Ａの前側（被写体側）スペースには、ズーム撮影レンズ鏡筒３１の駆動用モータ１６と、駆動用ギアユニット１７が配置されている（図１参照）。さらに、このスプール室Ａの上側には、ストロボ発光部１３とストロボ回路部１２とが配置されている。
【００２３】
なお、図２中４４は上述した構成によるカメラ本体１における重心位置を示している。また、図中４５，４６は振れ検出センサ３，４の振れ検出軸である。
【００２４】
さて、本発明に係る振れ検出機能付きカメラによれば、振れを検出する振れ検出センサ３，４と、その検出信号に基づいて振れ補正を行なう振れ補正手段である振れ補正レンズ駆動装置３７と、振れ検出センサ３，４を起動させる起動スイッチを兼ねるシャッタレリーズ釦４０とを備え、このレリーズ釦４０をカメラ上部に設けるとともに、このレリーズ釦４０の押圧方向に略対向するカメラ本体１の底部側に、三脚固定用止めねじ穴部４２を設け、かつこの三脚固定用止めねじ穴部４２を、レリーズ釦４０、振れ検出センサ３，４と共に、撮影レンズ鏡筒３１よりも一方のグリップ１ａ側に配設したところに特徴を有している。
【００２５】
そして、このような構成を採用することにより、振れ検出センサ３，４、さらにこれにより振れ補正を行なう振れ補正レンズ駆動装置３７を備えていることから、カメラ本体１を三脚本体４４上に固定し、長秒時撮影を行なうに際して、従来のようなケーブルレリーズ等の遠隔レリーズ操作部材を用いずに、シャッタレリーズ釦４０を直接操作することでシャッタレリーズ操作を行なうことが可能となる。
【００２６】
したがって、従来のようなケーブルレリーズ等の遠隔レリーズ操作部材が不要となり、撮影者にとっての負担を軽減するとともに、カメラ側でのコネクタ等の遠隔レリーズ操作部材用の接続部材も不要となり、カメラ全体でのコスト軽減化と省スペース化を達成し得るという優れた効果を奏する。
【００２７】
特に、本発明によれば、シャッタレリーズ釦４０の押圧方向に対向するカメラ本体１の底部に、三脚固定用止めねじ穴部４２を設け、シャッタレリーズ釦４０への押圧力を三脚４４で直接受けることができるため、カメラでの不要な振動が生じにくくなる。
【００２８】
また、本発明によれば、上述した振れ検出センサ３，４を、起動スイッチを兼ねるレリーズ釦４０と三脚固定用止めねじ穴部４２との間に介在させるようにして、カメラ内空間に配設しているため、この部分での剛性を高め、上述した作用効果をより一層発揮することができる。
【００２９】
すなわち、上述したシャッタレリーズ釦４０および三脚固定用止めねじ穴部４２を配置するカメラ本体１の部分は、外力を受けるために最も剛性を持たせることが必要となるが、このような要請に応えることができる。一方、このような剛性を持たせている部分は、変形等による無用な振動を与えてはならない振れ検出センサ３，４の配置にあたって最も適した部分であり、その利点を発揮させることができる。
【００３０】
ここで、上述した起動スイッチを兼ねるシャッタレリーズ釦４０は、二つの振れ検出軸４５，４６によって形成される平面に平行しかつ重心を含む平面に略一致する平面上に押圧方向を有するように構成されており、上述した利点を発揮するうえで効果的である。
【００３１】
なお、上述した実施例構造では、カメラ本体１において、撮影動作中に比較的大きな電気的ノイズを発生するストロボ発光部１３やストロボ回路部１２を、カメラ前側（被写体側）から見て右側に配置し、電源電池１４，１５とストロボコンデンサ１９とを、カメラ前側（被写体側）から見て左側であるカメラ本体１のグリップ部１ａ内に配置している。
【００３２】
さらに、ピッチ方向（Ｙ）の振れ量を検出する振れ検出センサ４を、電源電池１４の上側の空間に配置し、ヨー方向（Ｘ）の振れ量を検出する振れ検出センサ３を電源電池の横空間に配置し、またストロボコンデンサ１９とストロボ回路部１２を接続するリード線１８（ストロボ作動時にＺ方向の磁束が発生する）を、振れ検出センサ３，４を搭載した振れ検出基板２の下部であるカメラ底部を通すことにより、主電気的ノイズ発生源から離れ、しかも電気的ノイズを受け難い位置に、振れ検出センサ３，４を配置することができ、またカメラの小型化を図ることも可能となる等の利点がある。
【００３３】
なお、本発明は上述した実施例構造には限定されず、各部の構成等を適宜変形、変更し得ることは言うまでもない。
たとえば上述した実施例では、シャッタレリーズ釦４０に対向してカメラ底部の略対向する位置に、三脚固定用止めねじ穴部４２を設け、三脚本体４４に固定するようにしている。しかし、本発明はこれに限定されず、図４および図５に示すように、カメラ上部に設けたレリーズ釦４０、さらにその直下に配置されるセンサ３，４を有する振れ検出基板２に対向して、カメラ底部の対向する直下位置に、三脚固定用止めねじ穴部４２を設けた場合で、上述した作用効果をより一層発揮し得るものである。
【００３４】
また、本発明は、上述した実施例で示した撮影レンズ鏡筒３の一体型であるコンパクトカメラに限らず、一眼レフカメラを始め、種々のカメラにおいて適用して効果を発揮し得るものである。
【００３５】
【発明の効果】
以上説明したように本発明に係る振れ検出機能付きカメラは、振れを検出する振れ検出手段と、この振れ検出手段を起動させる起動スイッチとを備え、かつ三脚固定用止めねじ穴がカメラ底部に設けられている振れ検出機能付きカメラにおいて、前記起動スイッチをカメラ上部に設けるとともに、この起動スイッチの押圧方向に対向するカメラ底部の一部に、三脚固定用止めねじ穴部を設け、前記三脚固定用止めねじ穴部を、前記起動スイッチ、振れ検出手段と共に、撮影レンズよりも一方のグリップ側に配設し、かつ前記起動スイッチと前記三脚固定用止めねじ穴部との間に位置するように前記振れ検出手段を介在させて設け、カメラ本体の前記起動スイッチと前記三脚固定用止めねじ穴部が配置される部分の剛性を他の部分に比べて高くしたので、簡単な構造であるにもかかわらず、ケーブルレリーズ等の遠隔レリーズ操作部材が不要となり、撮影者にとっての負担や煩わしい携帯等の手間を軽減し得るとともに、カメラ側でのコネクタ等の遠隔レリーズ操作部材用の接続部材が不要となり、カメラ全体でのコスト軽減化と省スペース化を達成し得る等の種々優れた効果を奏する。
【００３６】
特に、本発明によれば、振れ検出手段、さらにこれにより振れ補正を行なう振れ補正手段を備えているため、三脚を使用して長秒時撮影を行なうに際して、起動スイッチとシャッタレリーズスイッチとを兼用したりすることによって、シャッタレリーズ釦を直接押圧することによるレリーズ操作が可能となり、従来のようなケーブルレリーズ等の遠隔レリーズ操作部材が不要となる。
【００３７】
これは、レリーズ釦の押圧方向に対向するカメラ底部に、三脚固定用止めねじ穴部を設けたため、レリーズ釦への押圧力を三脚で直接受けることができ、カメラに不要な振動が生じにくくなることから、容易に理解されよう。
【００３８】
さらに、本発明によれば、振れ検出手段を、起動スイッチと三脚固定用止めねじ穴部との間に介在するようにして、カメラ内空間に配設したり、あるいは起動スイッチを、二つの振れ検出軸によって形成される平面に平行しかつ重心を含む平面に略一致する平面上に押圧方向を有するように構成することにより、上述した作用効果を発揮し得るものである。
【００３９】
特に、上述したシャッタレリーズ釦および三脚固定用止めねじ穴部を配置するカメラ本体部分は、外力を受けるために最も剛性を持たせることが必要となるが、その一方において変形等による無用な振動を与えてはならない振れ検出手段の配置にあたっては最も適したところであり、その利点は明らかである。
【図面の簡単な説明】
【図１】本発明に係る振れ検出機能付きカメラの一実施例を示す正面図である。
【図２】本発明に係る振れ検出機能付きカメラの一実施例を示す上面図である。
【図３】本発明に係る振れ検出機能付きカメラの一実施例における振れ検出センサ部を示す側断面図である。
【図４】本発明に係る振れ検出機能付きカメラの別の実施例を示す正面図である。
【図５】本発明に係る振れ検出機能付きカメラの別の実施例における振れ検出センサ部を示す側断面図である。
【符号の説明】
１    カメラ本体
１ａ  グリップ部
２    振れ検出基板
３    振れ検出センサ
６    ファインダブロック
８    ＣＰＵ
９    メイン基板
１４    電源電池
１５    電源電池
１６    駆動用モータ
１７    駆動用ギアユニット
１８    リード線
１９    ストロボコンデンサ
２０    スプール
２１    フィルムパトローネ
３１    ズーム撮影レンズ鏡筒
３２    撮影レンズ群
３３    撮影レンズ群
３４    シャッタ装置
３７    振れ補正レンズ駆動装置
４０    シャッタレリーズ釦（シャッタレリーズスイッチ）
４２    三脚固定用止めねじ穴部
４３    三脚固定用止めねじ
４４    三脚本体
４５    振れ検出軸
４６    振れ検出軸
【図１】
0003719267.tif 000002
【図２】
0003719267.tif 000003
【図３】
0003719267.tif 000004
【図４】
0003719267.tif 000005
【図５】
0003719267.tif 000006